(57)【要約】      （修正有）【課題】使用者の体形や体調に適した使用を可能にした多機能枕を提供する。【解決手段】扁平で幅広の袋に粒状物が充填され、平面視略Ｖ字状の扁平筒状に形成された多機能枕において、多機能枕を左側部２、中央部３及び右側部４に分割して捉えた場合、幅の長さは中央部３が最も長く、左右両側部２、４の端部５ａ、５ｂへ向けて次第に短くなり、左右両側部２、４の幅は、一方の側部２が他方の側部４より太く形成されている。中央部３と左右両側部２、４の境界部に縫い付け部６及び非縫い付け部が設けられることにより中央部３と左右両側部２、４の間での粒状物の移動を調整できる。全体形状が略Ｖ字状の筒袖状であり、両端５ａ、５ｂの開口部の周囲に絞り紐を有し、左右両側部２、４の両端５ａ、５ｂに一対の調節紐を有する枕カバーを更に備え、多機能枕を枕カバーに収納した状態で、一対の調節紐を結ぶことにより、多機能枕の略Ｖ字状のＶ字の角度が調節され、多機能枕の高さを調整できる。【選択図】図１
0003196965.tif 000002
【実用新案登録請求の範囲】
【請求項１】
扁平で幅広の袋に粒状物が充填され平面視略Ｖ字状の扁平筒状に形成された枕において、
前記枕を、左側部、中央部及び右側部に分割して捉えた場合、
幅の長さは、中央部が最も長く、左右両側部の端部へ向けて次第に短くなり、
前記左右両側部の幅は、一方の側部が他方の側部より太く形成され、
前記中央部と前記左右両側部の境界部に、それぞれ少なくとも一箇所の縫い付け部が設けられ、
前記縫い付け部により、前記中央部と前記左右両側部の間での粒状物の移動が起こり難くしたことを特徴とする多機能枕。
【請求項２】
前記中央部と前記左右両側部との境界部に、縫い付け部が設けられていない非縫い付け部が設けられ、前記非縫い付け部によって、前記中央部と前記左右両側部に充填されている粒状物が移動可能とすることにより、前記中央部の肉厚および前記左右両側部の肉厚を調節し得ることを特徴とする請求項１に記載の多機能枕。
【請求項３】
全体形状が略Ｖ字状の筒袖状であり、両端の開口部の周囲に絞り紐を有する枕カバーを更に備え、
前記枕カバーは、左右両側部の両端に一対の調節紐が設けられ、
前記多機能枕を前記枕カバーに収納した状態で、前記一対の調節紐を結ぶことにより、前記多機能枕の略Ｖ字状のＶ字の角度が調節され、それにより前記中央部の肉厚を厚くできることを特徴する請求項１又は２に記載の多機能枕。
【考案の詳細な説明】
【技術分野】
【０００１】
本考案は、使用者の体形に合わせて高さや幅を容易に変更でき、かつ、一度形を整えると、使用者の意に反する形状変更が起こり難く、就寝時に快適な睡眠をもたらすことのできる平面視略Ｖ字状の枕に関するものである。
【背景技術】
【０００２】
寝具用の枕は、適当な高さを維持し、かつ柔軟性や弾力性が求められ、また頭熱の適度の吸熱・冷却を行って安眠を誘うようにすることが求められている。
従来から、枕の充填材として、小豆やソバ殻などの天然材料を用いたものや、綿、ウレタン樹脂等の合成樹脂製ビーズなどの素材が用いたものが知られている（例えば、特許文献１を参照。）。
【０００３】
しかしながら、小豆やソバ殻など天然材料を用いたものにあっては、適度の柔軟性や弾力性が得られるが、他方で内部にカビやダニ、虫などが発生したり、雑菌が繁殖して不衛生となり、匂いがつくなどの問題があり、また合成樹脂を用いたものはダニ等の発生は比較的少ないが、特有の匂いがあったり、また放熱性が悪いという問題があり、頭部の熱を放散する効果は余り期待できないという問題がある。
【０００４】
また、現代人の慢性症状といわれる肩凝りは、枕が影響しているとも言われている。すなわち、枕が高すぎたり低すぎたりすることで、首の骨である頚椎やその周辺の筋肉に負担が掛かって、肩凝りや首の痛みの原因になる。
しかし、この枕の高さ（肩が凝らない高さ）には個人差があり、試し寝を行い、その人個人にあった高さの枕を使用することが求められているが、現実には困難であり、従来から存在する枕は、枕の高さがだいたい一定である。すなわち、一個の枕で、大人と小人、あるいは好みに応じて高さの調整ができないという問題がある。
【０００５】
また、寝具用の枕は、立ったときの自然な姿勢を、寝ているときにも維持できるように、布団と首から頭にかけての隙間を埋める働きを持つ。一般に寝ているときの間に、数１０回程度の寝返りを打つといわれる。このため、枕の形としては、中央部は左右両側部よりも低めで、中央部の中でも頚椎があたる部分は若干高めで、その両側は寝返りを打ったときに肩が負担をかけないように、さらに高いものが理想とされている。
【０００６】
また一方、従来から自動車の運転席シートに吊り下げて腰の負担を軽くする腰枕が知られている（例えば、特許文献２を参照。）。しかし、特許文献２に開示されている腰枕は、エアーチューブが設けられており、腰枕全体が運転者の体にフィットするが、指圧部が設けられておらず、腰の負担を軽減することはできるが、ツボを刺激して背中から腰にかけての疲労を癒す作用がない。
【０００７】
そこで、本考案者はこのような不都合性を解消すべく、既に、適度な柔軟性と弾力性が得られるのみならず、頭部から発生する熱の放散特性がよく、必要に応じて適宜な温熱効果も得られ、抗菌性や防臭効果も得られる素材で構成され、また、枕高さの調節も自由にできる構造とし、さらに、肩凝りや腰の負担を軽減する枕を提案している（特許文献３）。
特許文献３に開示されている多機能枕は、扁平で幅広の袋に粒状物が充填され、略Ｖ字状の扁平筒状に形成された枕であって、縫い目状の区画線により、中央部が略扇形に形成され、中央部の左右両側部が略矩形に形成され、中央部の肉厚が左右両側部の肉厚より薄く形成されるものである。
しかしながら、かかる考案では、左右両側部の幅が同一であったため、使用者の体形に合わせた枕の高さ調節は、枕の粒状物の移動やＶ字形状の変形により行う必要があり、使用者にとって面倒な作業であった。
【先行技術文献】
【特許文献】
【０００８】
【特許文献１】公開実用新案公報平１−１３１３６９号公報
【特許文献２】特開２００２−２９１５７３号公報
【特許文献３】登録実用新案第３１２０１０５号公報
【考案の概要】
【考案が解決しようとする課題】
【０００９】
上記状況に鑑みて、本考案は、使用者の体形や体調に適した使用を可能にした枕を提供することを目的とする。
【課題を解決するための手段】
【００１０】
上記目的を達成すべく、本考案の多機能枕は、扁平で幅広の袋に粒状物が充填され、平面視略Ｖ字状の扁平筒状に形成された枕において、枕を左側部、中央部及び右側部に分割して捉えた場合、幅の長さは中央部が最も長く、左右両側部の端部へ向けて次第に短くなり、左右両側部の幅は、一方の側部が他方の側部より太く形成されている。
幅の長さが異なることで、使用者の体形や体調に合わせた柔軟な使用が可能となる。ここで、粒状物には、小豆、大豆、ソバ殻、モミ殻、米、茶葉、なら、ぶな、ひのきなどの天然素材のほか、ウレタン樹脂などの合成樹脂製のビーズなど素材が用いられる。
【００１１】
また、中央部と左右両側部の境界部にそれぞれ少なくとも一箇所の縫い付け部が設けられ、縫い付け部により中央部と左右両側部の間での粒状物の移動が起こり難くなる構造である。これにより、使用者は自ら調整した枕の高さや幅を長時間に渡って維持することができ、快適な睡眠をとることができる。
また、中央部と左右両側部の境界部を緩やかに布地で仕切りを設けても良い。これにより、中央部と左右両側部の間での粒状物の移動が起こるのを防ぐことができる。
【００１２】
本考案の多機能枕は、中央部と左右両側部との境界部に、縫い付け部が設けられていない非縫い付け部が設けられ、非縫い付け部によって、中央部と左右両側部に充填されている粒状物が移動可能とすることにより、中央部の肉厚および左右両側部の肉厚を調節し得るものである。
縫い付け部を中央部と左右両側部との境界部全体に施さないことで、枕内部の粒状物を移動させることができ、使用者の体形や体調に応じた柔軟な利用を可能とする。
【００１３】
また、本考案に係る多機能枕は、全体形状が略Ｖ字状の筒袖状であり、両端の開口部の周囲に絞り紐を有する枕カバーを更に備え、枕カバーは、左右両側部の両端に一対の調節紐が設けられ、多機能枕を枕カバーに収納した状態で、一対の調節紐を結ぶことにより、多機能枕の略Ｖ字状のＶ字の角度が調節され、それにより多機能枕の高さを調整できることが好ましい。
この左右の絞り紐を結ぶことによって、好みに応じて枕の高さを簡単に変えられることができる。すなわち、左右の絞り紐の結び目の位置を調整することで、枕本体の略Ｖ字状の鋭角部の角度を自由に調整することができ、角度を小さくしていけば、略扇形に形成された中央部の肉厚が厚みを増していくことになるため、結果として枕の高さを自由に調節できることになる。
【考案の効果】
【００１４】
本考案に係る多機能枕は、使用者の体形やその日の体調に合わせて、柔軟に高さや幅が変えられ快適な睡眠をとることができるといった効果を有する。
また、本考案に係る多機能枕は、その形状と構造により、頸椎指圧や肩甲骨ほぐし、背筋伸ばし、腰伸ばしといった用途にも利用できるといった効果を有する。
【図面の簡単な説明】
【００１５】
【図１】実施例１の枕本体の外観形状図
【図２】実施例１の枕カバーを取り付けた枕の外観形状図
【図３】実施例１の枕の使用イメージを示した正面図
【図４】実施例２の枕の使用イメージ図
【図５】実施例３の枕の使用イメージを示した正面図
【図６】実施例４の枕の使用イメージを示した正面図
【図７】実施例５の枕の使用イメージを示した底面図
【図８】実施例６の枕の使用イメージを示した底面図
【図９】実施例７の枕の使用イメージ図を示し、（１）は平面図、（２）は正面図を示している。
【考案を実施するための最良の形態】
【００１６】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１７】
図１は、実施例１の枕本体の外観形状図を示している。
図１に示されるように、枕本体１ａは、扁平で幅広の袋によって、全体として平面視で略Ｖ字状に形成されている。枕本体１ａの幅Ｗ１は７ｃｍ、幅Ｗ２は１２．５ｃｍ、幅Ｗ３は１８．８ｃｍ、幅Ｗ４は１０．６ｃｍ、幅Ｗ５は６ｃｍであり、長さＬは５１ｃｍである。すなわち、右側部４よりも左側部２の方が、幅が太くなっているのである。幅の長さが異なることで、使用者の体形や体調に合わせた柔軟な使用が可能となる。
この扁平で幅広の袋の中に、防虫・防カビを施した小豆を容積率で７０〜８０％充填している。小豆充填時には端部（５ａ，５ｂ）から充填を行うが、充填後に端部（５ａ，５ｂ）は縫合処理がなされている。左側部２と中央部３及び中央部３と右側部４の間には、縫合処理がなされた縫い付け部６がそれぞれ設けられ、谷状に窪んだ形状となっている。
【００１８】
図２は実施例１の枕本体１ａに枕カバー７を取り付けた平面図を示している。
図２に示されるように、枕カバー７の両端部（７ａ，７ｂ）には、絞り紐８が設けられている。枕本体１ａに枕カバー７を取り付け、この絞り紐８を絞り、結ぶことで、枕カバー７が固定される。
また、枕カバー７の両端部（７ａ，７ｂ）には、調節紐９が設けられている。この調節紐９を結ぶことにより、枕の中央部３の略Ｖ字状のＶ字の角度をより鋭角にすることができ、また、略Ｖ字状のＶ字の角度をより鋭角にすることで、中央部３の肉厚や左側部２及び右側部４の肉厚を厚くすることができ、使用者の体形や体調に適した形状、高さとすることができるのである。この調節紐９によって、枕の形をＶの字に曲げ、首と後頭部の高さに合うように調整できるのである。なお、調節紐９は枕カバー７に設けないで、枕本体１ａに設けてもよい。
【００１９】
図３は実施例１の多機能枕１の使用イメージを示した正面図を示している。
図３に示されるように、使用者１０の頭部を枕にのせた場合、中央部３の略扇形部の肉厚の厚い部分が頚椎を支え、また、略Ｖ字状の左側部２及び右側部４の縁から肉厚の高い部分にかけて、耳から首のつけ根に点在するツボを刺激することができるのである。
また、必要に応じて、バスタオル１１等を用いて頭の高さを調整しても良い。
【実施例２】
【００２０】
図４は、実施例２の枕の使用イメージ図を示している。
本実施例においては、使用者１０は横向きに寝ているが、この場合、多機能枕１は実施例１とは異なり、平面視略Ｖ字状の多機能枕１を反時計回りに９０°回転させて、右頬を右側部４に乗せ、右顎下部を左側部２に当てるようにして使用している。
右側部４と左側部２の位置は使用者１０の体形や体調によって、入れ替えても良い。
【実施例３】
【００２１】
図５は、実施例３の枕の使用イメージを示した正面図を示している。
本実施例においては、粒状物として使用される小豆の粒が頸椎指圧の代用として用いられている。
図５に示されるように、多機能枕１は折り畳まれて使用されている。これは、図１に示されるところの右側部４を持ち、端部５ｂを端部５ａに重ねるようにして、左側部２に向けて折り畳んだものであるが、折り畳む方向は逆であっても良い。
使用者１０は仰向けに寝て、２重に重ねられた多機能枕１の上に首筋を乗せ、５〜１０分の間、ゆっくりと左右に身体を回旋し頸椎指圧を行う。
【実施例４】
【００２２】
図６は、実施例４の枕の使用イメージを示した正面図を示している。
本実施例においては、多機能枕１は、首筋伸ばしに用いられている。
図６に示されるように、多機能枕１は折り畳まれて使用されている。折り畳み方法は、実施例３と同様である。
使用者１０は横向きに寝て、２重に重ねられた多機能枕１の上に首筋を乗せ、首筋伸ばしを行う。
【実施例５】
【００２３】
図７は、実施例５の枕の使用イメージ図を示している。
本実施例においては、多機能枕１は、肩甲骨ほぐしに用いられている。
図７に示されるように、本実施例では、使用者１０は仰向けに寝て、背中から首にかけて多機能枕１を当てて使用している。多機能枕１は実施例１と比較すると上下反転された状態である。
多機能枕１の中央部３は頚椎に、また、左側部２及び右側部４はそれぞれ左肩甲骨と右肩甲骨に当接されており、かかる状態で、５〜１０分の間使用する。
【実施例６】
【００２４】
図８は、実施例６の枕の使用イメージ図を示している。
本実施例においては、多機能枕１は、背筋伸ばしやコリほぐしに用いられている。
図８に示されるように、本実施例では、使用者１０は仰向けに寝て、背中から腰にかけて多機能枕１を当てて使用している。多機能枕１は、枕カバー７の両端部（７ａ，７ｂ）に設けられた調節紐９（図示せず）を結ぶことにより、略ハート形の形状として使用している。使用者１０は自身の首から腰までの間で、伸ばしたい箇所の直下に多機能枕１を配置して背筋伸ばしやコリほぐしを行う。
【実施例７】
【００２５】
図９は、実施例７の枕の使用イメージ図を示し、（１）は平面図、（２）は正面図を示している。本実施例においては、多機能枕１は、腰伸ばしに用いられている。
図９（１）及び（２）に示されるように、本実施例では、使用者１０は仰向けに寝て、腰部の下に多機能枕１を配置して腰伸ばしを行う。多機能枕１は実施例１と比較すると上下反転された状態になっている。
【産業上の利用可能性】
【００２６】
本考案に係る多機能枕は、就寝時に快適な睡眠をもたらすことのできる枕や、頸椎指圧や肩甲骨ほぐし、背筋伸ばし、腰伸ばし用の器具として利用できる。
【符号の説明】
【００２７】
１  多機能枕
１ａ  枕本体
２  左側部
３  中央部
４  右側部
５ａ，５ｂ  端部
６  縫い付け部
７  枕カバー
７ａ，７ｂ  開口部
８  絞り紐
９  調整紐
１０  使用者
１１  バスタオル
Ｗ  幅
Ｌ  長さ
【図１】
0003196965.tif 000003
【図２】
0003196965.tif 000004
【図３】
0003196965.tif 000005
【図４】
0003196965.tif 000006
【図５】
0003196965.tif 000007
【図６】
0003196965.tif 000008
【図７】
0003196965.tif 000009
【図８】
0003196965.tif 000010
【図９】
0003196965.tif 000011